(57)【要約】【課題】地震による通電火災を防止する。【解決手段】感震センサ７０と、コンセント３０Ｎと負荷３４Ｎとの間に設けられた制御スイッチ４２と、コンセントに流れる漏電電流を生成する、制御スイッチの直前に接続された漏電発生回路１１０と、感震センサの出力に基づいて制御スイッチと漏電発生回路とを制御する制御回路５０とで構成される。感震センサの出力に基づいて所定震動以上であることを制御回路が判定したとき、制御スイッチをオフにすると共に、震動の判定タイミングより待ち時間Ｔａが経過しても引き込み線１４からの電源が遮断されていないとき、漏電発生回路によって漏電ブレーカを作動させる。夜間時などのとき照明等の避難準備を確保するため、漏電ブレーカは地震発生後直ちには作動しない。【選択図】        図２
2018074661.tif 000002
【特許請求の範囲】
【請求項１】
感震センサと、
コンセントと発熱源を有する負荷との間に設けられた制御スイッチと、
上記制御スイッチの直前に接続された漏電発生回路と、
上記感震センサの出力に基づいて上記制御スイッチと上記漏電発生回路とを制御する制御回路とで構成され、
上記感震センサの出力に基づいて所定震動以上であることを上記制御回路が判定したとき、上記制御スイッチをオフにすると共に、上記震動の判定タイミングより所定の待ち時間が経過しても引き込み線からの電力が遮断されていないとき、上記漏電発生回路によって漏電ブレーカを作動させるようにした
ことを特徴とする感震装置。
【請求項２】
上記感震センサは、加速度センサが使用され、
地震による揺れ、地震、台風、地滑り、竜巻などによる家屋の倒壊を検知する
ことを特徴とする請求項１記載の感震装置。
【請求項３】
上記制御スイッチは、リレースイッチが使用され、
所定震動以上の感震センサ出力を検出したとき、上記制御回路から出力されたリレー制御信号で上記リレースイッチが電源オフ側に作動する
ことを特徴とする請求項１記載の感震装置。
【請求項４】
上記漏電発生回路が作動する前に、在宅者への警報手段が駆動される
ことを特徴とする請求項１記載の感震装置。
【請求項５】
上記感震センサの出力に基づいて所定震動以上であることを上記制御回路が判定したとき、上記制御スイッチをオフにすると共に、上記待ち時間中に停電したときには、電源復旧後に上記漏電発生回路によって上記漏電ブレーカを作動させるようにした
ことを特徴とする請求項４記載の感震装置。
【請求項６】
上記漏電発生回路が作動する前に、警報手段が駆動される
ことを特徴とする請求項５記載の感震装置。
【請求項７】
上記制御回路に関連してタイマー手段が設けられ、感震機能と共に、上記タイマー手段によって上記制御スイッチが制御されるようになされた
ことを特徴とする請求項１記載の感震装置。
【発明の詳細な説明】
【技術分野】
【０００１】
この発明は、所定以上の震動が発生したとき、避難などの人命救済を図りながら家庭内の通電火災を防止できるようにした感震装置に関する。
【背景技術】
【０００２】
最近の日本列島は地震の脅威にさらされている。地震が発生するとその揺れによる家屋の倒壊、津波による家屋などの流失などの被害もさることながら、阪神淡路地震以来、通電火災による被害が警告されている。
【０００３】
通電火災とは、地震発生が原因で停電となり、それまで使用していた暖房機、電熱器、アイロンなどの熱源電気製品の上に家屋の倒壊や家具、備品の倒壊などで可燃物が熱源器に覆いかぶさり、電力復帰後暖房機や熱源器に再通電された事により引き起こす火災であり、この火災による焼失被害および人的被害が甚大なものとなっている。
【０００４】
地震発生に伴う通電火災を極力防ぐため、地震発生を検知したら直ちに漏電ブレーカを作動させて熱源電気製品への通電を遮断する感震装置が開発されている（特許文献１、２、３等）。
【０００５】
そのうち特許文献１および特許文献２は、何れも漏電ブレーカの摘み（レバー）などに、揺れを感知する機械的手段を備えた地震感知手段を関連させ、地震が発生したときは地震感知手段を介してレバーを作動させるようにしたものである。
【０００６】
特許文献３は、感震センサによって揺れを検知し、地震検知をした場合この装置に接続された負荷への電力遮断、それに加えてトラッキングによる加熱防止、落雷対策などを行う装置である。何れの特許文献においても地震が発生してその揺れを検知すると、直ちに漏電ブレーカを作動させ、引き込み線から屋内に供給された電力を切断して、通電火災を防止するようにしている。
【先行技術文献】
【特許文献】
【０００７】
【特許文献１】特許第４５１１１３２号
【特許文献２】特許第４７１２３６２号
【特許文献３】特許第５５０４０８５号
【発明の概要】
【発明が解決しようとする課題】
【０００８】
ところで、上述した特許文献１〜３は、何れも地震が発生し、その揺れを検知すると、直ちに電力を遮断して電気製品の電源をオフするようにしているので、通電火災対策としては非常に有効な手段であると言える。
【０００９】
しかし、地震は日中起こるとは限らない。夕方、夜間、日の出前などに地震が発生することもしばしばである。夜間などに地震が起きたとき、即座に漏電ブレーカを落としてしまうとすべての照明まで消灯してしまうので避難前の安全点検が難しくなる他、暗闇での非難は非常に難しくなる。
【００１０】
また、地震が発生しても直ちには漏電ブレーカを作動させないように構成した場合、つまりある程度のタイムラグを置いて漏電ブレーカを作動させるようにすると、避難に必要な一定時間(待ち時間Ｔａという)が経過しない内に引き込み線からの電力供給が止まってしまった場合、つまり一般的に言う停電(以後停電と言う)が発生した場合には、この停電状態では漏電が発生しないために漏電ブレーカを作動することができない。
【００１１】
そのため、複数ある安全ブレーカから導出された壁コンセントに接続された電気製品のうちのどれかの発熱源を有する電気製品の電源が入り状態となっているときには事後の通電火災を引き起こすこととなる。
【００１２】
この発明はこのような地震等による通電火災問題を解決したものであって、所定震動以上の揺れが検知されたときには、本感震装置が設置された壁コンセントに接続された発熱源を有する電気製品の電源が即座に遮断して通電火災を防止すると共に、避難に必要な照明器などへの電力は一定時間確保し、その後漏電ブレーカを作動させて分電盤２０以降のすべての電力を遮断するようにしたものである。加えて一定時間経過（待ち時間Ｔａ）前に停電が発生した場合には、家屋の倒壊などによって発生し易い火災事故を考慮し、以後の通電を検知したとき漏電ブレーカを作動させて通電を遮断するようにしたものである。
【課題を解決するための手段】
【００１３】
上述した課題を解決するため、請求項１記載の発明に係る感震装置においては、感震センサと、
コンセントと発熱源を有する負荷との間に設けられた制御スイッチと、
上記制御スイッチの直前に接続された漏電発生回路と、
上記感震センサの出力に基づいて上記制御スイッチと上記漏電発生回路とを制御する制御回路とで構成され、
上記感震センサの出力に基づいて所定震動以上であることを上記制御回路が判定したとき、上記制御スイッチをオフにすると共に、上記震動の判定タイミングより所定の待ち時間が経過しても引き込み線からの電力が遮断されていないとき、上記漏電発生回路によって漏電ブレーカを作動させるようにしたことを特徴とする。
【００１４】
請求項２記載のこの発明に係る感震装置では、感震センサは、加速度センサが使用され、地震による揺れ、地震、台風、地滑り、竜巻などによる家屋の倒壊を検知することを特徴とする。
【００１５】
請求項３記載のこの発明に係る感震装置では、制御スイッチは、リレースイッチが使用され、所定震動以上の感震センサ出力を検出したとき、制御回路から出力されたリレー制御信号で上記リレースイッチが電源オフ側に作動することを特徴とする。
【００１６】
請求項４記載のこの発明に係る感震装置では、漏電発生回路が作動する前に、在宅者への警報手段が駆動されることを特徴とする。
【００１７】
請求項５記載のこの発明に係る感震装置では、上記感震センサの出力に基づいて所定震動以上であることを上記制御回路が判定したとき、上記制御スイッチをオフにすると共に、上記待ち時間中に停電したときには、電源復旧後に上記漏電発生回路によって上記漏電ブレーカを作動させるようにしたことを特徴とする。
【００１８】
請求項６記載のこの発明に係る感震装置では、漏電発生回路が作動する前に、警報手段が駆動されることを特徴とする。
【００１９】
請求項７記載のこの発明に係る感震装置では、上記制御回路に関連してタイマー手段が設けられ、感震機能と共に、上記タイマー手段によって上記制御スイッチが制御されるようになされたことを特徴とする。
【発明の効果】
【００２０】
以上説明したようにこの発明に係る感震装置では、所定震動以上の揺れが検知されたときには、本感震装置が設置された壁コンセントに接続された発熱源を有する電気製品の電源が即座に遮断して通電火災を防止すると共に、夜間の避難に欠く事の出来ない照明器具などへの電力を一定時間確保して安全に避難する一助とし、その後漏電ブレーカを作動させて事後停電が復帰した時の通電火災を防止するようにしたものである。
【００２１】
これによれば、本感震装置が設置された壁コンセントに接続された発熱源を有する電気製品の電源が即座に遮断して通電火災を確実に防止できることに加え、夜間時などのときには屋内の照明を確保しながら、十分な安全点検作業を終了した段階で、漏電ブレーカが自動的に作動して屋内の全電源を遮断できるようになる。勿論、待ち時間内に停電した時には漏電ブレーカへの漏電制御が見送られると共に、停電が復旧した場合には、復旧後に漏電ブレーカを作動させるようにしたため、停電復旧後における通電火災の虞もない。
安全が確保された段階で、漏電ブレーカを手動操作して家屋内電源を復旧させ、同時に本感震装置に設けられた復旧スイッチを操作して待機状態（初期状態）に復帰させる。
【図面の簡単な説明】
【００２２】
【図１】この発明に係る感震装置を適用したときの一例を示す系統図である。
【図２】この発明に係る感震装置の一例を示す系統図である。
【図３】この発明に係る感震装置の一例を示す構成図である。
【図４】その動作説明用のタイミングチャートである。
【図５】同様に動作説明用のタイミングチャートである。
【発明を実施するための形態】
【００２３】
続いて、この発明に係る感震装置の一例を図面を参照して説明する。図１は、この発明に係る感震装置１０を着脱式に構成したときの適用例を示す系統図であって、商用交流源１２からの電力は家庭用引き込み線１４を介して各家庭に設けられた分電盤２０に供給される。
【００２４】
分電盤２０は、周知のようにアンペアブレーカ２２を有し、図示するように、引き込み線１４からの電力がこのアンペアブレーカ２２を介して漏電ブレーカ２４に供給され、漏電ブレーカ２４の出力は家庭内の各部屋ごとに設けられた安全ブレーカ２６（２６Ａ〜２６Ｎ）を介して夫々の壁コンセント３０Ａ〜３０Ｎに導かれる。各壁コンセント３０Ａ〜３０Ｎには夫々負荷となる電気製品（電気機器）３４Ａ〜３４Ｎが必要に応じてセットされている。
【００２５】
本例では、複数ある壁コンセント３０のうち、電気ストーブなどの熱源を持った電気製品３４Ｎがセットされている壁コンセント３０Ｎに、この発明に係る感震装置１０が挿着されて、地震の検知・電源の遮断及び漏電ブレーカの制御などが行われる。
【００２６】
図１に示す感震装置１０は着脱式（差し込み式）であるので、負荷である電気製品３４Ｎと壁コンセント３０Ｎとの間に挿着される。そのため、ＡＣプラグとＡＣコンセントを有する。感震装置１０は負荷３４のうち特に地震等が起きたときに火災の原因となる熱源を有する電気製品が挿着されているところに使用される。
【００２７】
図２はこの発明に係る感震装置１０の一例を示す系統図であって、この例ではタイマー機能を備えたものに適用した場合である。
そもそも地震発生そのものの頻度が低いので、地震発生時の電力遮断や漏電ブレーカ作動といった機能以外に、別の機能としてのタイマー（タイマー手段）を同一回路内に併設することによって、所定震動以下の通常（平常）の生活モードではタイマーとしても活用できる使用効率の高い装置にしている。
【００２８】
感震装置１０は、上述したようにＡＣプラグ３２ＮとＡＣコンセント３６とを有する。ＡＣコンセント３６には負荷である電気製品３４Ｎのプラグ３９（図１参照）が差し込まれ、ＡＣプラグ３２Ｎは壁コンセント３０Ｎに差し込まれる。ＡＣプラグ３２ＮとＡＣコンセント３６とは後述するようにユニット化されたものが使用される。
【００２９】
ＡＣプラグ３２ＮとＡＣコンセント３６との間には制御スイッチ４２とその制御回路５０とが設けられる。制御スイッチ４２は地震が発生したときに負荷３４Ｎへの電源路を強制的に遮断するために設けられており、ラッチングリレー式スイッチなどを使用することができる。
【００３０】
制御スイッチ４２としてラッチングリレー式スイッチを使用した場合には、ラッチングリレーコイル４３への付勢等の制御は制御回路５０から出力された制御信号によって行われる。ＡＣプラグ３２Ｎに供給された電源（商用交流源）は上述した制御スイッチ４２に供給される他、制御回路５０内の電源回路５２に供給されてＤＣ化される。
【００３１】
ＤＣ電源は蓄電用コンデンサ５４を介して制御回路５０の回路本体６０の動作電源として供給される。蓄電用コンデンサ５４は、地震が起きてからの非常用電源として使用され、数１０分の間、待ち時間終了後に待ち時間内に停電が発生の有無を停電中でもメモリーに書き込む事ができるような蓄電容量のものが使用される。
【００３２】
電源回路５２に接続されたサージ電流吸収素子（アレスター  商品名）など５１は雷対策用で、雷サージ電流を流すために使用され、ＡＣ１００Ｖの電源ラインＬａに直接接続して、ある決められた電圧以上の電圧が電源ラインＬａに印加されたときに、それ以上の電圧分を吸収（電源ラインＬａをショートして吸収）して、過度の電圧が印加されないようにしたものである。そのため、アレスター５１は後段の制御回路５０に対する回路破壊防止用としても機能する。
【００３３】
回路本体６０には感震センサ７０からの出力が供給され、出力の有無によって、各種の制御が行われるため、回路本体６０はマイコンが使用されている。その動作等については感震センサ７０を含めて後述する。
【００３４】
この回路本体６０に関連して複数の操作スイッチ８０が設けられている。そのうちスイッチ８２は復帰スイッチであり、地震による負荷制御が終了した段階で、制御スイッチ４２を正常状態に復帰させるために使用される。
【００３５】
スイッチ８４はテストスイッチであり、感震装置１０が正常に作動するかをチェックするためのスイッチである。解除スイッチ８６は漏電ブレーカ２４に対する動作解除スイッチであり、タイマースイッチ８８はタイマー動作をセットするものである。
【００３６】
尚、スイッチ８０の構成については押下方法および検出方法等の工夫により機能を兼用したりする事が可能である。
【００３７】
タイマー動作とは、オンタイマー（設定時間後に電源を入れる）か、オフタイマー（設定時間後に電源を切る）かのセットと、設定時間の選択である。これらの操作は１つのスイッチ８８で実施している。この例では、１回操作するごとにオンタイマー時間が例えば３０分単位で、０分、３０分、６０分、９０分と切り換わり、その後は同様の時間間隔でオフタイマー時間のセットモードとなる。
【００３８】
タイマー時間のセットモードが単位時間ごとに判るように、回路本体６０には複数の表示灯（ＬＥＤなど）９２〜９６が設けられ、タイマーセット時間を目視により確認できるようになっている。例えば表示灯９２は３０分表示用、表示灯９４は６０分表示用、そして表示灯９６は９０分表示用として使用される。
【００３９】
その他の表示灯９８は本感震装置１０の動作確認用電源ランプである。これら表示灯９２〜９８の電源は電源回路５２及び蓄電用コンデンサ５４からのＤＣ電源が利用される。
【００４０】
回路本体６０にはさらに警報手段１００が設けられ、地震発生後、この例では漏電ブレーカ２４を作動させる直前に、在宅中の者に対し、電力を強制的に遮断し、電気火災等を未然に防止する措置としてのブレーカ遮断を、ブザーや音声等によって警報するようにしてある。
【００４１】
続いて、漏電ブレーカ２４を強制的に作動させるための構成について説明する。この例では制御スイッチ４２の前段に供給されている電源ラインＬａと接地間に抵抗１１２とスイッチング素子１１４からなる漏電発生回路１１０が設けられ、スイッチング素子１１４のオン・オフは回路本体６０から得られる制御信号によって制御される。
【００４２】
地震を感知し、所定震動以上（例えば震度５以上）のときにスイッチング素子１１４をオンにして、電源ラインＬａに対し漏電電流を強制的に流すことで、漏電ブレーカ２４を人為的に作動させる。抵抗１１２は、漏電電流を制限するための電流制限抵抗である。
【００４３】
回路本体６０に設けられた温度センサ１１６はトラッキング現象を検知するためのセンサである。トラッキング現象は、コンセントとプラグとの隙間にほこりが溜まり、そのほこりが空気中の湿気を吸収する。湿気を吸収すると接触面が腐食してプラグとコンセント間の接触抵抗が高くなって発熱する。このときの発熱温度を計測し、温度センサ１１６からの出力が一定温度以上に達した場合、制御スイッチ４２で電力を遮断して火災になる事を防止している。
【００４４】
上述の感震センサ７０はジャイロなどのモーションセンサ（加速度検知センサ）や感振センサが使用され、本例では図３に示す下基板６２Ａ上に取り付け固定できる小型ジャイロが用いられている。
【００４５】
感震センサ７０からの検知情報をマイコン６０にて処理し、地震以外の衝撃などで発生する一時的な揺れ（震動）なのか、地震による震動なのかを見分け、些細な外的な衝撃では作動しないようにしている。さらに感震センサ７０が設置時より、所定角度例えば２０度以上傾いてしまった場合は家屋の倒壊による震動とみなし、すぐに制御スイッチ４２を作動させるようにしてある。また漏電ブレーカ２４も即断させ、これによってすぐにも起こるかもしれない家屋倒壊などによる火災をも防止することを特徴としている。
【００４６】
また、家屋倒壊の原因に関しては、地震のみならず、台風や地滑り、竜巻などの災害による倒壊の時にも通電火災防止装置として働くものである。
【００４７】
図３は壁コンセント３０Ｎに挿着されて使用される感震装置１０の外観形状の一例を示す。
【００４８】
この感震装置１０は、下ケース６０Ａと上ケース６０Ｂと、これら上下ケース内に収納された制御回路５０とで構成される。
【００４９】
下ケース６０Ａには、壁コンセント３０Ｎに挿着されるＡＣプラグ用の開口窓６１が形成される他、本体装置を取付け固定するための複数の取付けボス６５が一体形成される。
【００５０】
制御回路本体５０Ａは、上下２枚の基板６２Ａ，６２Ｂを有し、両者はボス６６で連結され、下基板６２Ａには感震センサであるモーションセンサ７０と、警報手段１００とが取り付けられ、上基板６２Ｂには制御回路５０を構成する回路本体（マイコン）６０の他に、複数本例では４個の操作スイッチ８０と、これらに対応した表示灯ＬＥＤ９０が取り付け固定され、さらに上基板６２Ｂの側面近傍には、プラグ・コンセントユニット３８が配されて構成される。上ケース６０Ｂには操作スイッチ８０用の孔や表示灯９０用の窓孔などが形成されている。
【００５１】
続いて、上述した感震装置１０の動作を図４および図５を参照して説明する。図４は地震によって停電が発生する前に漏電処理が終了した場合の動作例であり、図５は停電した後電源が復旧する前には漏電処理が未了の場合の動作例である。
【００５２】
この例では、負荷である電気製品を動作させるオンタイマーか電気製品の電源を切るオフタイマーのいずれかがセットされているものとする。
【００５３】
揺れが発生すると（図４Ａ）、その強さと長さに応じた揺れが感震センサで検知される。感震センサ出力は次段のマイコン６０で解析され、揺れが地震によるものかどうかが解析されると共に、地震であると判定されたときで、予め設定した震動（例えば震度５以上の強さ（マグニチュード））以上の揺れであるかどうかが判定される。設定震動以上の揺れであるときには、地震による判別信号（判定出力）が得られる（同図Ｂ）。
【００５４】
この判別信号に基づいて生成された制御信号がリレー制御信号（リレー付勢信号）としてラッチングリレーコイル４３に流れる。このリレー制御信号によってラッチングリレーコイル４３が付勢され、制御スイッチ４２は電源オフ側に瞬時に、かつ強制的に切り換えられる。この一連の動作で、壁コンセント３０Ｎに接続された電気製品３４Ｎの電源が切れる（同図Ｃ）。これで電気製品による通電火災（電気火災）を未然に防止できる。
【００５５】
なお、制御スイッチ４２はラッチングリレーによって構成されているため、ラッチングリレーコイル４３が減勢されても、直前の切り替え状態が保持されるから、電気製品３４Ｎへの電源は遮断された状態を保持する。制御スイッチ４２を図２の状態に復帰させるには、前述した解除スイッチ８６を操作すればよい。
【００５６】
判別出力に基づいて生成された制御信号はさらにタイマー制御信号としても利用され、タイマー（図示はしない）をリセット状態にする（同図Ｄ）。回路本体６０によるこのタイマー制御によってオンタイム若しくはオフタイム後のタイマー動作を確実に禁止できるから、タイマーがセットされている場合でも安全である。
【００５７】
次に感震センサ７０からの感震センサ出力を解析した結果、震度５以上の揺れであると判定された震動判定タイミングから所定の待ち時間Ｔａ（例えば１０〜１５分）（同図Ｄ，Ｅ）が経過したときの、引き込み線１４側からの電力供給状態が判定される。
【００５８】
待ち時間Ｔａが経過してもまだ停電になっていないときには、次に警報手段１００と漏電発生回路１１０を作動させる。そのため、まず地震が起きても通電状態にあるときには、待ち時間Ｔａが経過してから警報手段１００を構成するブザー（図示せず）を作動させて異常状態を在宅者に知らせる。これと同時に警報手段１００に内蔵された音声報知手段（図示せず）を作動させるか、あるいはマイコン６０内で生成された音声で、漏電ブレーカ２４を強制的に作動させる旨を報知し、退避を促す（同図Ｅ）。
【００５９】
音声メッセージとしては、例えば「これより安全のためブレーカを作動させて家中の電源を切ります。直ちに退避してください。」のような短いメッセージを流す。このメッセージによって在宅者は負荷３４の動作状態を確認したり、漏電ブレーカ２４を操作しないでも安全に退出できる。
【００６０】
警報手段１００を作動させた後、１〜２分の時間をおいて漏電動作に移る。この例では、マイコン６０内で停電の有無を検知した判別信号からスイッチング信号（図示はしない）が生成され、このスイッチング信号によってスイッチング素子１１４をオンさせる。スイッチング素子１１４がオンすると電源ラインＬａとアースとの間には、微少の漏電電流が流れる（同図Ｆ）。漏電電流によって漏電ブレーカ２４が作動し、家屋内全電源が強制的に切断される。これによって、通電に伴う通電火災を未然に防止できる。
【００６１】
このように地震発生と同時に漏電ブレーカ２４を作動させることなく一定時間後に作動させるようにしたのは、以下のような理由に基づく。
【００６２】
震度５以上の地震が発生した場合に漏電ブレーカ２４が自動的にオフすると、夜間などに地震が起きたとき、室内の明かりが全てなくなるので、避難前の安全点検が難しくなる他、避難のために備え付けてあった非常用照明器までもが機能しなくなったり、手元が暗いと健常者でも避難が困難になったりする。真っ暗闇は心理的にも大変不安感を与えることから平常心での避難が難しく、まして老人や子供、要介護者にとってはもっと困難な状態になる。
【００６３】
そこで、避難・誘導のための準備が整った段階で、漏電ブレーカ２４を自動的にオフして家庭内の全電源を遮断するようにしたものである。こうすれば安全ブレーカ２６に接続された全ての電気製品３４の電源を落とすことができ、通電火災の虞を解消できる。
【００６４】
地震が止んで、安全の確認がとれた段階では、漏電ブレーカ２４を手動操作して家屋内電源を復旧させる。同時に回路本体６０に設けられた復旧スイッチ８２を操作して感震装置１０を待機状態（初期状態）に戻すことになる。
【００６５】
ところで、待ち時間Ｔａが経過しても家庭内への電力が供給されている状態にあるときには、上述したような動作となるが、待ち時間Ｔａを待たずに停電した場合を次に説明する。
【００６６】
この場合には上述したように特定の壁コンセント３０Ｎに接続された電気製品３４Ｎに対してはその電源が自動的に切断されて安全を確保できるが、それ以外の壁コンセント３０に接続された負荷３４には電源が入ったままになっているものもあるので、電源復旧後の二次火災が危惧される。
【００６７】
図５において、同図Ａ〜Ｄまでは上例と同じである。地震の判定タイミングから待ち時間Ｔａが経過する前の時点不特定時間Ｔｂ（時点ｔ６）付近で停電になったとする（同図Ｅ）。
【００６８】
同図Ｆのように回路本体６０は時点ｔ６で発生した停電を検知するので、この検知時点ｔ６で漏電処理の待機状態となる。
【００６９】
次に、同じく回路本体６０で電源の復旧が検知されたときには（同図Ｆ、時点ｔ７）、警報手段１００を作動させて上述したのと同じ動作、つまりブザーを鳴らして漏電処理への移行を知らしめると共に、音声による退避報知を行う（同図Ｇ）。その後漏電発生回路１１０を動作させて漏電電流を流す（同図Ｈ）。
【００７０】
この漏電電流は漏電ブレーカ２４によって検知されるから、漏電ブレーカ２４が作動し、家庭内の全電源を遮断して強制的に停電させる（同図Ｉ）。これによって、停電復旧後に例えその建物に人がいない場合にも家庭内への電力供給を自動的に遮断して強制的に停電状態にする。その後の処理（負荷３４の状態を確認した上でのブレーカ操作と感震装置１０の待機処理）は上述と同様である。
【００７１】
このようにマイコン６０で停電状態を記憶して漏電ブレーカ２４への動作を保留しておき、停電が復旧したときに漏電ブレーカ２４を作動させるようにすれば停電が復旧したときに危惧される二次火災（通電火災）をも確実に防止できる。
【００７２】
以上のようにこの発明では、感震機能を持ったコンセントに更に工夫をして、所定の設定震動になったら、いきなり漏電ブレーカを作動させるのではなく、まず熱源電気製品が接続されているコンセントをオフにしてそれに繋がった電気製品への再通電を防ぎ、避難に必要な時間、例えば１５分経過後（Ｔａ）、未だ停電が起きていない場合には電力復帰後ブザー等により警告して１地震震動に付き１回だけ自動的に漏電ブレーカを作動させる。そして、もし１５分以内に停電になった場合には（Ｔｂ）、再通電後、警告した後で漏電ブレーカ２４を作動させて、家屋内への通電を遮断するようにしたものである。
【００７３】
所定震動以上の揺れが検出されない通常状態（平常生活モード）のときで、タイマーがセットされているときには、タイマー設定時間後に、電気製品３４を作動させ、あるいは電気製品３４の動作を停止させるタイマー動作が行われる。
【００７４】
上述した実施例は、この発明を着脱式の感震装置に適用した場合であるが、壁コンセントに内蔵する内蔵型の感震装置にもこの発明を適用できる。その場合には、図３に示した上下ケース６０Ａ，６０Ｂが壁コンセントの筐体として代用され、コンセント３６が壁コンセント３０Ｎとして使用されることになる。
【００７５】
また、上述した実施例では所定震動以下の通常生活モードのときであってもトラッキング現象による通電火災のおそれをなくし、雷が発生したようなときには回路本体６０などの電子回路の破壊を未然に防止できるので、感震機能の他に、多様な機能を併せて持つ、多機能型の感震装置を実現できる。
【産業上の利用可能性】
【００７６】
この発明は、地震が起きたときの家庭内などの通電火災を防止できる感震装置に適用して好適である。
【符号の説明】
【００７７】
１２・・・商用交流源（電源）
２０・・・分電盤
２４・・・漏電ブレーカ
３０・・・壁コンセント
３４・・・負荷（熱源電気製品）
１０・・・感震装置
４２・・・制御スイッチ
４３・・・ラッチングリレーコイル
５０・・・制御回路
６０・・・回路本体
７０・・・感震センサ
８０・・・操作スイッチ
９０・・・表示灯
１００・・警報手段
１１０・・漏電発生回路
【図１】
2018074661.tif 000003
【図２】
2018074661.tif 000004
【図３】
2018074661.tif 000005
【図４】
2018074661.tif 000006
【図５】
2018074661.tif 000007